(57)【要約】【課題】アクティブコンポーネントアレイ基板と、対向基板と、ＯＣＢ型液晶層とを含むＬＣＤパネルを提供する。【解決手段】アクティブコンポーネントアレイ基板は第１基板と、複数の第１ラインと、複数の第２ラインと、複数の画素構造と、第１配向層とを含む。第１配向層は第１配向方向を有し、第１配向方向と第１ラインとの間の夾角は４６度から７４度の間である。対向基板はアクティブコンポーネントアレイ基板に対面する第２配向層を有する。第２配向層は第１配向方向に平行な第２配向方向を有する。ＯＣＢ型液晶層はアクティブコンポーネントアレイ基板と対向基板との間に配置される。【選択図】図２
2008040449.tif 000002
【特許請求の範囲】
【請求項１】
第１基板と
前記第１基板上に配置された複数の第１ライン及び複数の第２ラインと
前記第１基板上に配置され前記第１ライン及び前記第２ラインによって駆動される複数の画素構造と
前記第１基板上に配置され前記第１ラインと、前記第２ラインと、前記画素構造とを覆う第１配向層とを備えるアクティブコンポーネントアレイ基板と、
前記アクティブコンポーネントアレイ基板に対面する第２配向層を備える対向基板と、
前記アクティブコンポーネントアレイ基板と前記対向基板との間に配置されたＯＣＢ型液晶層とを備えるＬＣＤパネルであり、
前記第１配向層は第１配向方向を有し、前記第１配向方向と前記第１ラインとの間の夾角は４６度から７４度の間であり、
前記第２配向層は前記第１配向方向に平行な第２配向方向を有するＬＣＤパネル。
【請求項２】
前記第１配向方向と前記第１ラインとの間の前記夾角が４６度から５４度の間である請求項１に記載のＬＣＤパネル。
【請求項３】
前記第１ラインがスキャンラインであり、前記第２ラインがデータラインである請求項１に記載のＬＣＤパネル。
【請求項４】
前記第１ラインがデータラインであり、前記第２ラインがスキャンラインである請求項１に記載のＬＣＤパネル。
【請求項５】
前記対向基板に対向する前記アクティブコンポーネントアレイ基板上に配置された第１偏光板と、
前記アクティブコンポーネントアレイ基板に対向する前記対向基板上に配置された第２偏光板とを更に備え、
前記第１偏光板は第１偏光方向を有し、前記第１偏光方向は前記第１ラインに平行であり、
前記第２偏光板は第２偏光方向を有し、前記第２偏光方向は前記第１偏光方向に垂直である請求項１に記載のＬＣＤパネル。
【請求項６】
前記アクティブコンポーネントアレイ基板と前記第１偏光板との間に配置された第１補償フィルムと、
前記対向基板と前記第２偏光板との間に配置された第２補償フィルムとを更に備え、
前記第１補償フィルムは前記第１配向方向に平行な第１軸を有し、
前記第２補償フィルムは前記第２配向方向に平行な第２軸を有する請求項５に記載のＬＣＤパネル。
【請求項７】
前記画素構造の各々が、
対応する前記第１ラインと対応する前記第２ラインとに電気的に接続されたアクティブコンポーネントと、
前記アクティブコンポーネントに電気的に接続された画素電極とを備える請求項１に記載のＬＣＤパネル。
【請求項８】
前記対向基板が、
第２基板と、
前記第２基板上に配置されたカラーフィルター層と、
前記カラーフィルター層上に配置された共通電極とを更に備え、
前記第２配向層が前記共通電極上に配置されている請求項１に記載のＬＣＤパネル。
【請求項９】
バックライトモジュールと、
前記バックライトモジュール上に配置されたＬＣＤパネルとを備えるＬＣＤ装置であり、
前記ＬＣＤパネルは、
第１基板と
前記第１基板上に配置された複数の第１ライン及び複数の第２ラインと
前記第１基板上に配置され前記第１ライン及び前記第２ラインによって駆動される複数の画素構造と
前記第１基板上に配置され前記第１ラインと、前記第２ラインと、前記画素構造とを覆う第１配向層と
を備えるアクティブコンポーネントアレイ基板と、
前記アクティブコンポーネントアレイ基板に対面する第２配向層を備える対向基板と、
前記アクティブコンポーネントアレイ基板と前記対向基板との間に配置されたＯＣＢ型液晶層とを備え、
前記第１配向層は第１配向方向を有し、前記第１配向方向と前記第１ラインとの間の夾角は４６度から７４度の間であり、
前記第２配向層は前記第１配向方向に平行な第２配向方向を有するＬＣＤ装置。
【請求項１０】
前記第１配向方向と前記第１ラインとの間の前記夾角が４６度から５４度の間である請求項９に記載のＬＣＤ装置。
【請求項１１】
前記第１ラインがスキャンラインであり、前記第２ラインがデータラインである請求項９に記載のＬＣＤ装置。
【請求項１２】
前記第１ラインがデータラインであり、前記第２ラインがスキャンラインである請求項９に記載のＬＣＤ装置。
【請求項１３】
前記対向基板に対向する前記アクティブコンポーネントアレイ基板上に配置された第１偏光板と、
前記アクティブコンポーネントアレイ基板に対向する前記対向基板上に配置された第２偏光板とを更に備え、
前記第１偏光板は第１偏光方向を有し、前記第１偏光方向は前記第１ラインに平行であり、
前記第２偏光板は第２偏光方向を有し、前記第２偏光方向は前記第１偏光方向に垂直である請求項９に記載のＬＣＤ装置。
【請求項１４】
前記アクティブコンポーネントアレイ基板と前記第１偏光板との間に配置された第１補償フィルムと、
前記対向基板と前記第２偏光板との間に配置された第２補償フィルムとを更に備え、
前記第１補償フィルムは前記第１配向方向に平行な第１軸を有し、
前記第２補償フィルムは前記第２配向方向に平行な第２軸を有する請求項１３に記載のＬＣＤ装置。
【請求項１５】
前記画素構造の各々が、
対応する前記第１ラインと対応する前記第２ラインとに電気的に接続されたアクティブコンポーネントと、
前記アクティブコンポーネントに電気的に接続された画素電極とを備える請求項９に記載のＬＣＤ装置。
【請求項１６】
前記対向基板が、
第２基板と、
前記第２基板上に配置されたカラーフィルター層と、
前記カラーフィルター層上に配置された共通電極とを更に備え、
前記第２配向層が前記共通電極上に配置されている請求項９に記載のＬＣＤ装置。
【発明の詳細な説明】
【技術分野】
【０００１】
本発明は、液晶ディスプレイパネル（ＬＣＤパネル）及び液晶ディスプレイ装置（ＬＣＤ装置）に係り、特に光学補償複屈折（Ｏｐｔｉｃａｌｌｙ  Ｃｏｍｐｅｎｓａｔｅｄ  Ｂｉｒｅｆｒｉｎｇｅｎｃｅ）型（ＯＣＢ型）のＬＣＤパネル及びＬＣＤ装置に関する。
【背景技術】
【０００２】
液晶のタイプや駆動方法、光源の配置により、ＬＣＤ装置を異なるタイプへと分類することができる。ここで、ＯＣＢ型ＬＣＤ装置は高速な応答速度等の利点を有し、アニメーションや映画を再生するために高速で変化するシーケンシャルフレームが必要不可欠である滑らかで優れたフレーム性能を備えるコンピュータを提供することに適している。従って、ＯＣＢ型のＬＣＤ装置は通常、高性能なＬＣＤ装置として用いられる。しかしながら、ＯＣＢ型のＬＣＤ装置が高速応答性能を有するためには、光学補償複屈折液晶分子（ＯＣＢ液晶分子）がスプレイ状態からベンド状態に移行し、待機状態になり高速応答の準備ができていなければならない。
【０００３】
従来のＯＣＢ−ＬＣＤ装置では、配向層の配向方向とアクティブコンポーネントアレイ基板の走査方向との間の夾角は９０度であり、従来のＯＣＢ−ＬＣＤ装置の視野角の範囲は小さ過ぎて、広視野角仕様には合致しない。
【０００４】
図１は従来のＬＣＤ装置の視野角の等高線図である。図１を参照すると、従来の配向方法では、ＬＣＤ装置は水平方向に１６０度の視野角、垂直方向に１４０度の視野角しか有さず、これはコントラスト比１０：１という最も低い可視条件の下で得られる。従って、従来のＬＣＤ装置では、広視野角仕様という要求に合致しない。更には、最高のコントラスト比は３２３．４４：１であり、大いに改善の余地がある。
【発明の開示】
【発明が解決しようとする課題】
【０００５】
従って、本発明の目的の一つは、視野角の範囲が増大したＬＣＤパネルを提供することである。
【０００６】
本発明の他の目的は、最大コントラスト比の改善したＬＣＤパネルを提供することである。
【課題を解決するための手段】
【０００７】
本発明は、アクティブコンポーネントアレイ基板と、対向基板と、光学補償複屈折型液晶層（ＯＣＢ型液晶層）とを含むＬＣＤパネルを提供する。アクティブコンポーネントアレイ基板は、第１基板と、複数の第１ラインと、複数の第２ラインと、複数の画素構造と、第１配向層とを含む。ここで、第１ライン及び第２ラインは第１基板上に配置される。画素構造は第１基板上に配置され、第１ライン及び第２ラインにより駆動される。第１配向層は第１基板上に配置され、第１ラインと、第２ラインと、画素構造とを覆う。第１配向層は第１配向方向を有し、第１配向方向と第１ラインとの間の夾角は４６度から７４度の間である。対向基板は、アクティブコンポーネントアレイ基板に対面する第２配向層を有し、第２配向層は第１配向方向に平行な第２配向方向を有する。ＯＣＢ型液晶層は、アクティブコンポーネントアレイ基板と対向基板との間に配置される。
【０００８】
本発明は、バックライトモジュールとＬＣＤパネルとを含むＬＣＤ装置を提供する。ＬＣＤパネルはバックライトモジュール上に配置される。ＬＣＤパネルは、アクティブコンポーネントアレイ基板と、対向基板と、ＯＣＢ型液晶層とを含む。アクティブコンポーネントアレイ基板は、第１基板と、複数の第１ラインと、複数の第２ラインと、複数の画素構造と、第１配向層とを含む。第１ライン及び第２ラインは第１基板上に配置される。画素構造は第１基板上に配置され、第１ライン及び第２ラインにより駆動される。第１配向層は第１基板上に配置され、第１ラインと、第２ラインと、画素構造とを覆う。第１配向層は第１配向方向を有し、第１配向方向と第１ラインとの間の夾角は４６度から７４度の間である。対向基板は、アクティブコンポーネントアレイ基板に対面する第２配向層を有し、第２配向層は第１配向方向に平行な第２配向方向を有する。ＯＣＢ型液晶層は、アクティブコンポーネントアレイ基板と対向基板との間に配置される。
【０００９】
本発明の一実施例においては、第１配向方向と第１ラインとの間の夾角は４６度から５４度の間である。
【００１０】
本発明の一実施例においては、第１ラインがスキャンラインであり、第２ラインがデータラインである。
【００１１】
本発明の一実施例においては、第１ラインがデータラインであり、第２ラインがスキャンラインである。
【００１２】
本発明の一実施例においては、ＬＣＤパネルは第１偏光板と第２偏光板とを更に含む。ここで、第１偏光板はアクティブコンポーネントアレイ基板上に配置され、対向基板に対向する。第１偏光板は第１ラインに平行な第１偏光方向を有する。第２偏光板は対向基板上に配置され、アクティブコンポーネントアレイ基板に対向する。第２偏光板は第１偏光方向に垂直な第２偏光方向を有する。
【００１３】
本発明の一実施例においては、ＬＣＤパネルは第１補償フィルムと第２補償フィルムとを更に含む。ここで、第１補償フィルムはアクティブコンポーネントアレイ基板と第１偏光板との間に配置される。第１補償フィルムは第１配向方向に平行な第１軸を有する。第２補償フィルムは対向基板と第２偏光板との間に配置される。第２補償フィルムは第２配向方向に平行な第２軸を有する。
【００１４】
本発明の一実施例においては、画素構造の各々は、アクティブコンポーネントと画素電極とを含む。ここで、アクティブコンポーネントは対応する第１ライン及び第２ラインに電気的に接続され、画素電極はアクティブコンポーネントに電気的に接続される。
【００１５】
本発明の一実施例においては、対向基板は第２基板と、カラーフィルター層と、共通電極層とを更に含む。ここで、カラーフィルター層は第２基板上に配置され、共通電極層はカラーフィルター層上に配置され、第２配向層は共通電極層に配置される。
【発明の効果】
【００１６】
上記の記載に基づき、本発明のＬＣＤパネル及びＬＣＤ装置のアクティブコンポーネントアレイ基板においては、第１配向層の第１配向方向と第１ラインとの間の夾角が４６度から７４度の間であるので、視野角の範囲が効果的に改善され、広視野角仕様という要求に合致する。更には、従来技術と比較して、本発明のＬＣＤパネル及びＬＣＤ装置はより大きな最大コントラストを有する。
【発明を実施するための最良の形態】
【００１７】
添付した図面は本発明の更なる理解を与えるために含まれており、本明細書と組み合わせられる。図面は本発明の実施例を例示し、明細書と共に本発明の原理を説明するために供される。
【００１８】
図２は、本発明の実施例によるＬＣＤ装置の概略的な断面図である。図３は本発明の実施例によるアクティブコンポーネントアレイ基板の上面図である。図４は本発明の実施例によるＬＣＤパネルのダイアグラムである。
【００１９】
図２を参照すると、本実施例のＬＣＤ装置１００は、バックライトモジュール１０２とＬＣＤパネル１０４とを備える。ここで、バックライトモジュールは、例えば導光板（ＬＧＰ）１０６と、反射ランプシェード１０８と光源１１０とを備える。更に詳細には、ＬＧＰ１０６は楔形の導光板であり得る。反射ランプシェード１０８はＬＧＰ１０６の光の入射端の側面に配置され、光源１１０は反射ランプシェード内に配置される。上記の光源は冷陰極蛍光ランプ（ＣＣＦＬ）または発光ダイオードアレイ（ＬＥＤアレイ）であってもよく、どちらも白色光を提供するのに適している。
【００２０】
図２及び３を参照すると、ＬＣＤパネル１０４はバックライトモジュール１０２上に配置されている。ＬＣＤパネルはアクティブコンポーネントアレイ基板１１２と対向基板１１４とＯＣＢ型液晶層１１６とを備える。ここで、シーラント１５０とＯＣＢ型液晶層１１６とは、アクティブコンポーネントアレイ基板１１２と対向基板１１４との間に配置され、シーラント１５０はＯＣＢ型液晶層１１６を密封する。更には、スペーサー１５２がアクティブコンポーネントアレイ基板１１２と対向基板１１４との間に配置されてもよく、その間隔を保持する。
【００２１】
アクティブコンポーネントアレイ基板１１２は第１基板１１８と、複数の第１ライン１２０と、複数の第２ライン１２２と、複数の画素構造１２４と第１配向層１２６とを備える。ここで、第１ライン１２０と第２ライン１２２とは第１基板１１８上に配置される。本実施例においては、第１ライン１２０はスキャンラインであり、第２ライン１２２はデータラインである。しかしながら、他の実施例においては、第１ライン１２０がデータラインであり、第２ラインがスキャンラインとなる。
【００２２】
画素構造１２４は第１基板１１８上に配置され、第１ライン１２０及び第２ライン１２２により駆動される。画素構造１２４の各々はアクティブコンポーネント１２８と画素電極１３０とを備え、アクティブコンポーネント１２８は対応する第１ライン１２０と対応するライン１２２とに電気的に接続される。更には、アクティブコンポーネント１２８は薄膜トランジスタ（ＴＦＴ）であってもよく、画素電極１３０はコンタクトホール１３２を介してアクティブコンポーネント１２８に電気的に接続されてもよい。第１配向層１２６は第１基板１１８上に配置され、第１ライン１２０と第２ライン１２２と画素構造１２４とを覆う。第１配向層１２６は第１配向方向１３４を有しており、第１配向方向１３４と第１ライン１２０との間の夾角θは４６度から７４度の間であり、より良い夾角θは４６度から５４度の間であり、最良の夾角θは５０度である。
【００２３】
図２及び図４を参照すると、対向基板１１４は、第２基板１４０とカラーフィルター層１４２と共通電極層１４４と第２配向層１３６とを備える。ここで、カラーフィルター層１４２は第２基板１４０上に配置され、カラーフィルター層１４２はブラックマトリクス１４６とカラーフィルターフィルム１４８とを備える。共通電極層１４４はカラーフィルター層１４２上に配置される。第２配向層１３６は共通電極層１４４上に配置され、第１配向方向１３４に平行な第２配向方向１３８を有する。
【００２４】
本実施例においては、カラーフィルター層１４２とアクティブコンポーネントアレイ基板１１２とが離隔して配置してあるが、カラーフィルター層１４２をアクティブコンポーネントアレイ基板１１２上に配置することも可能であり、カラーフィルターオンアレイ（ＣＯＡ）基板と称され、対向基板１１４はカラーフィルター層１４２を有さない。
【００２５】
図２及び４を参照すると、本実施例の液晶パネル１０４は第１偏光板１５４と第２偏光板１５６とを更に備えることができる。ノーマルブラックディスプレイまたはノーマルホワイトディスプレイに応じて、第１偏光板１５４と第２偏光板１５６との偏光方向は異なるように配列される。本実施例ではノーマルホワイトディスプレイを用いるので、第１偏光板１５４は対向基板１１４に対向するアクティブコンポーネントアレイ基板１１２上に配置される。第１偏光板１５４は第１偏光方向１６２を有し、第１偏光方向１６２は第１ライン１２０に平行である。第２偏光板１５６はアクティブコンポーネントアレイ基板１１２に対向する対向基板１１４上に配置される。第２偏光板１５６は第２偏光方向１６４を有し、第２偏光方向１６４は第１偏光方向１６２に垂直である。一方、他の実施例においてはノーマルブラックディスプレイが用いられ、第１偏光板１５４の第１偏光方向１６２は第２偏光板１５６の偏光方向１６４に平行でなければならない。
【００２６】
続けて図２及び４を参照すると、ディスプレイの質を改善するために、ＬＣＤパネル１０４は第１補償フィルム１５８と第２補償フィルム１６０を更に備えることが可能である。ここで、第１補償フィルム１５８はアクティブコンポーネントアレイ基板１１２と第１偏光板１５４との間に配置される。第１補償フィルム１５８は第１配向方向１３４に平行な第１軸１６６を有する。第２補償フィルム１６０は対向基板１１４と第２偏光板１５６との間に配置される。第２補償フィルム１５８は第２配向方向１３８に平行な第２軸１６８を有する。
【００２７】
第１配向層１２６の第１配向方向１３４と第１ライン１２０との間の夾角θが４６度から７４度の間であるので、従来技術に比べて、液晶分子の配向を変化させることができる。このことは、広視野角仕様の要求に合致するように視野角を増大させることに寄与する。更には、本発明は配向層の配向方向を変化させることができるので、従来技術に比べて最大コントラストが大きくなる。本実施例のＬＣＤ装置１００のディスプレイの質について下記で説明する。
【００２８】
図５は、本発明の実施例によるＬＣＤ装置の視野角の等高線図である。図５を参照すると、配向層の配向方向とアクティブコンポーネントアレイ基板のデータラインとの間の夾角は４５度である。実施した実験によると、コントラスト比１０：１という最も低い可視条件の下で、水平方向の視野角及び垂直方向の視野角が共に１７０°に達し、コントラスト比の最大値は４８０．５：１に達するという結果が得られた。
【００２９】
図６は本発明の他の実施例によるＬＣＤ装置の視野角の等高線図である。図６を参照すると、配向層の配向方向とアクティブコンポーネントアレイ基板のデータラインとの間の夾角は５０度である。実施した実験によると、コントラスト比１０：１という最も低い可視条件の下で、水平方向の視野角及び垂直方向の視野角が共に１７０°に達し、コントラスト比の最大値は５２４．９：１に達するという結果が得られた。
【００３０】
図１、５及び６を参照すると、本発明のＬＣＤ装置と従来のＬＣＤ装置との簡単な比較を行うことができる。光学性能という点に関して、コントラスト比１０：１という最も低い可視条件の下で、従来のＬＣＤ装置の水平方向の視野角、垂直方向の視野角、最大コントラスト比は、図１に示すように、それぞれ１６０度、１４０度、３２３．４４：１である。これに対して、本発明のＬＣＤ装置の水平方向の視野角、垂直方向の視野角、最大コントラスト比は、図５及び６に示すように、それぞれ１７０度、１７０度、４８０．５：１または５２４．９：１である。新規な配向レイアウトを有する本発明により、従来技術と比較して、水平方向の視野角、垂直方向の視野角、最大コントラスト比が大いに改善されることは明らかである。
【００３１】
まとめとして、本発明は少なくとも下記の利点を有する。
１．本発明は配向層の配向方向を変化させるので、本発明のＬＣＤパネルとＬＣＤ装置は従来技術よりも大きな視野角の範囲を有し、広視野角仕様という要求に合致する。
２．本発明のＬＣＤパネルとＬＣＤ装置はより大きな最大コントラスト比を有する。
【００３２】
当業者が本発明の範囲または精神から逸脱せずに本発明の構造に対して様々な修正と変更を行えることは明らかである。前述の記載においては、説明と実施例は例示することのみを意図しており、本発明の真の範囲と精神は添付した特許請求の範囲及びそれに等価なものによって示される。
【図面の簡単な説明】
【００３３】
【図１】従来のＬＣＤ装置の視野角の等高線図である。
【図２】本発明の実施例によるＬＣＤ装置の概略的な断面図である。
【図３】本発明の実施例によるアクティブコンポーネントアレイ基板の上面図である。
【図４】本発明の実施例によるＬＣＤパネルのダイアグラムである。
【図５】本発明の実施例によるＬＣＤ装置の視野角の等高線図である。
【図６】本発明の他の実施例によるＬＣＤ装置の視野角の等高線図である。
【符号の説明】
【００３４】
１００  ＬＣＤ装置
１０２  バックライトモジュール
１０４  ＬＣＤパネル
１０６  導光板
１０８  反射ランプシェード
１１０  光源
１１２  アクティブコンポーネントアレイ基板
１１４  対向基板
１１６  ＯＣＢ型液晶層
１１８  第１基板
１２０  第１ライン
１２２  第２ライン
１２４  画素構造
１２６  第１配向層
１２８  アクティブコンポーネント
１３０  画素電極
１３２  コンタクトホール
１３４  第１配向方向
１３６  第２配向層
１３８  第２配向方向
１４０  第２基板
１４２  カラーフィルター層
１４４  共通電極層
１４６  ブラックマトリクス
１４８  カラーフィルターフィルム
１５０  シーラント
１５２  スペーサー
１５４  第１偏光板
１５６  第２偏光板
１６２  第１偏光方向
１６４  第２偏光方向
１６６  第１軸
１６８  第２軸
【図２】
2008040449.tif 000003
【図３】
2008040449.tif 000004
【図４】
2008040449.tif 000005
【図１】
2008040449.tif 000006
【図５】
2008040449.tif 000007
【図６】
2008040449.tif 000008